(57)【要約】【課題】被装着物の種類の増加に関係なく、最小限の品揃え品目で対応できる標章化徽章を提供すること。【解決手段】誕生日の星座、誕生月の宝石、花、動物又はカラー、血液型の記号若しくは十二支を標章化して徽章状に別体で成形して標章化徽章１とし、これを、被装着物品２に対し、容易には離脱しない方法で装着可能としたこと。【選択図】図１
0003139436.tif 000002
【実用新案登録請求の範囲】
【請求項１】
誕生日の星座、誕生月の宝石・花・動物又はカラー、血液型の記号若しくは十二支を標章化して徽章状に別体で成形し、これを、被装着物品に対し、容易には離脱しない方法で装着可能としたことを特徴とする標章化徽章。
【考案の詳細な説明】
【技術分野】
【０００１】  本考案は、標章化して徽章状に成形した誕生日の星座の図案等を、被装着物品に対し、選択的に装着できる標章化徽章に関するものである。
【背景技術】
【０００２】  標章化された誕生日の星座の図案等は、アクセサリー等の被装着物品に合わせて加工されたうえで、同装着物に直接固着され、流通過程で販売されているのが現状である。
【考案の開示】
【考案が解決しようとする課題】
【０００３】  ところが、上記のような星座等をあしらったアクセサリー等の被装着物品は、標章化された星座の図案等がそれに直接固着されているために、その星座の数だけの品揃えが必要となり、被装着物品の種類が増えれば増えるほど、品揃え品目の膨大化を招く結果となっていた。【０００４】  本考案は、上記の問題点に鑑み、被装着物品の種類の増加に関係なく、最小限の品揃え品目で対応できる標章化徽章を提供することを目的としている。
【課題を解決するための手段】
【０００５】  上記目的を達成する本考案は、誕生日の星座、誕生月の宝石、花、動物又はカラー、血液型の記号若しくは十二支を標章化して徽章状に別体で成形し、これを、被装着物品に対し、容易には離脱しない方法で装着可能としたことを特徴とする標章化徽章である。
【考案の効果】
【０００６】  本考案によれば、標章化徽章を別体で成形し、この別体の標章化徽章を、被装着物品に対し、容易には離脱しない方法で装着可能としたことで、被装着物品に選択的に装着でき、同物品の品揃え品目を最小限に抑えることができる。また、これらの物品に装飾的に装着することで、使用者に、心理的な満足感、安心感あるいは幸福感を与えることもできる。
【考案を実施するための最良の形態】
【０００７】  被装着物品としては、履物、特に靴が好ましいが、これに限られず、例えばカバン、バッグ類、ネックレス、ブレスレット、時計、ベルト、傘、眼鏡等であってもよい。【０００８】  また、容易には離脱しない方法として、標章化徽章側と被装着物品側にそれぞれで雌雄を構成する金具、マジックテープ等を固着する等して解決することができる。
【実施例】
【０００９】  以下に、本考案の好ましい実施例を図面に基づいて説明する。標章化徽章１は、図示しないが、表面に、例えば誕生日の星座であれば、おひつじ座、おうし座、ふたご座等を表わすシンボル図形が標章化して表わされており、誕生石であれは、ガーネット、エメラルド、サファイア等の天然石又は模造石が埋め込まれている。標章化徽章１は別体で形成され、その裏面には、被装着物品２側に形成された雌金具３と嵌着する雄金具４が形成されている。雌金具３は、雄金具４の離脱を防ぐ構造となっているため、この雄金具４が雌金具３に嵌着されることで、標章化徽章１は、外力が加わらない限り、容易には離脱しない。なお、標章化徽章１の材質は、金属、合成樹脂が好ましいが、これら以外の材質であってもよい。【００１０】  上記構成の本考案によると、被装着物品２には雌金具３が予め固着されているので、好みの標章化徽章２を選んで雄金具４を雌金具３に嵌着すれば、標章化徽章１は、容易には離脱しない状態で被装着物品２に固定される。この場合、被装着物品２には雌金具３だけが予め固着され、標章化徽章１は後付けの状態となるため、被装着物品２と標章化徽章１の組み合わせが自在となり、選択の幅も広がる。そして、特に被装着物品２に至っては、その品揃え品目を最小限にすることができ、また、その結果として、在庫品の減少を図ることもできる。【００１１】  なお、上記実施例では、標章化徽章１と被装着物品２の結合を雌雄の金具２，３で行った例を示したが、これに代え、標章化徽章１側と被装着物品２側にそれぞれ雌雄のマジックテープを固定し、これによって標章化徽章１を被装着物品２に装着することでも本考案を実現することができる。また、これら以外でも、雌雄の関係にある固定材を使用することで、同様の効果を実現することができる。
【図面の簡単な説明】
【００１２】
【図１】  本考案による標章化徽章とこれを取り付ける被装着物品との状態を示す斜視図である。
【符号の説明】
【００１３】  １    標章化徽章
２    被装着物品
３    雌金具
４    雄金具
【図１】
0003139436.tif 000003
【手続補正書】
【提出日】平成19年11月28日(2007.11.28)
【手続補正１】
【補正対象書類名】実用新案登録請求の範囲
【補正対象項目名】請求項１
【補正方法】変更
【補正の内容】
【請求項１】
誕生日の星座、誕生月の宝石・花・動物又はカラー、血液型の記号若しくは十二支を標章化して徽章状に別体で成形し、これを、被装着物品に対し、容易には離脱しない装具により選択的に装着可能としたことを特徴とする標章化徽章。
【手続補正２】
【補正対象書類名】明細書
【補正対象項目名】０００５
【補正方法】変更
【補正の内容】
【０００５】
上記目的を達成する本考案は、誕生日の星座、誕生月の宝石・花・動物又はカラー、血液型の記号若しくは十二支を標章化して徽章状に別体で成形し、これを、被装着物品に対し、容易には離脱しない装具により選択的に装着可能としたことを特徴とする標章化徽章である。
【手続補正３】
【補正対象書類名】明細書
【補正対象項目名】０００８
【補正方法】変更
【補正の内容】
【０００８】
また、容易には離脱しない装具としては、標章化徽章側と被装着物品側にそれぞれで雌雄を構成する金具、マジックテープ（登録商標）等を固着する等して解決することができる。
【手続補正４】
【補正対象書類名】明細書
【補正対象項目名】００１０
【補正方法】変更
【補正の内容】
【００１０】
上記構成の本考案によると、被装着物品２には雌金具３が予め固定されているので、好みの標章化徽章１を選んで雄金具４を雌金具３に嵌着すれば、標章化徽章１は、容易には離脱しない状態で被装着物品２に固定される。この場合、被装着物品２には雌金具３だけが予め固着され、標章化徽章１は後付けの状態となるため、被装着物品２と標章化徽章１の組み合わせが自在となり、選択の幅も広がる。そして、特に被装着物品２に至っては、その品揃えを最小限にすることができ、また、その結果として、在庫品の減少を図ることもできる。
【手続補正５】
【補正対象書類名】明細書
【補正対象項目名】００１１
【補正方法】変更
【補正の内容】
【００１１】
なお、上記実施例では、標章化徽章１と被装着物品２の結合を雌雄の金具３，４で行った例を示したが、これに代え、標章化徽章１側と被装着物品２側にそれぞれ雌雄のマジックテープ（登録商標）を固定し、これによって標章化徽章１を被装着物品２に固着することでも本考案を実現することができる。また、これら以外でも、雌雄の関係にある固定材を使用することで、同様の効果を実現することができる。